(57)【要約】【課題】空調システムの標準アプリケーションについてのオプション開発投資の負担を軽減し、開発したオプションをより多くのユーザに活用させる空調システムのアプリケーション開発システム及びアプリケーション開発方法を提供する。【解決手段】管理会社サーバ４は、委託されたオプション１２ａについて管理会社２とユーザ３ａとの開発費負担の割合を入力させる負担割合入力部６と、オプションの情報をウェブサイトに表示させる開発オプション表示部１０と、オプションの使用を希望する他のユーザ３ｂ，３ｃからの使用希望メールを受信する使用希望メール受信部８と、他のユーザの開発費に対する分担率を入力させて開発費分担額を設定する分担額設定部７と、他のユーザに開発オプションへのアクセス権を設定するアクセス権設定部９と、を備える。【選択図】図１
2010286949.tif 000002
【特許請求の範囲】
【請求項１】
空調システムの運用に関する標準アプリケーションを保有し、そのオプション開発を受託する管理会社のサーバと、標準アプリケーションのオプションの開発を委託する複数のユーザの端末機とが、通信ネットワークを介して接続される空調システムのアプリケーション開発システムにおいて、
管理会社のサーバは、
ユーザから開発委託されたオプションについて、管理会社と委託したユーザとの開発費負担の割合を入力させる負担割合入力部と、
開発されたオプションに関する情報をウェブサイトに公開させる開発オプション表示部と、
ウェブサイトにアクセスし、表示されたオプションの使用を希望する他のユーザからの使用希望メールを受信する使用希望メール受信部と、
オプションの使用を希望する他のユーザの開発費に対する分担率を入力させ、他のユーザの開発費分担額を設定する分担額設定部と、
オプションの使用を希望するユーザに開発されたオプションへのアクセス権を設定するアクセス権設定部と、
を備えることを特徴とする空調システムのアプリケーション開発システム。
【請求項２】
請求項１に記載の空調システムのアプリケーション開発システムであって、開発オプション表示部は、委託したユーザによるオプションの使用実績に関する情報を開発されたオプションに関する情報と共にウェブサイトに公開させることを特徴とする空調システムのアプリケーション開発システム。
【請求項３】
請求項１又は２に記載の空調システムのアプリケーション開発システムであって、開発オプション表示部は、オプションを使用した他のユーザによるオプションの使用実績に関する情報を委託したユーザによるオプションの使用実績に関する情報と共にウェブサイトに公開させることを特徴とする空調システムのアプリケーション開発システム。
【請求項４】
請求項１乃至３のいずれか１に記載の空調システムのアプリケーション開発システムであって、分担額設定部は、負担割合入力部に設定された管理会社と委託したユーザとの開発費負担の割合に従って、他のユーザから支払われる開発費分担額について管理会社及び委託したユーザの分担の割合を設定することを特徴とする空調システムのアプリケーション開発システム。
【請求項５】
請求項１乃至３のいずれか１に記載の空調システムのアプリケーション開発システムであって、分担額設定部は、負担割合入力部に設定された開発費負担が全て委託したユーザ側である場合には、他のユーザから支払われる開発費分担額が委託したユーザに支払われるように設定することを特徴とする空調システムのアプリケーション開発システム。
【請求項６】
請求項１乃至４のいずれか１に記載の空調システムのアプリケーション開発システムであって、分担額設定部は、委託したユーザが開発するオプションに関するアイデアを提供した場合には、他のユーザから支払われる開発費分担額の一部が、アイデア提供料として委託したユーザに支払われるように設定することを特徴とする空調システムのアプリケーション開発システム。
【請求項７】
請求項１に記載の空調システムのアプリケーション開発システムであって、負担割合入力部は、ユーザがオプションに関するアイデアのみ提示しオプションを利用しない場合には、開発費は管理会社に負担させる設定とし、分担額設定部は、他のユーザから支払われる開発費分担額の一部が、アイデア提供料としてそのユーザに支払われるように設定することを特徴とする空調システムのアプリケーション開発システム。
【請求項８】
空調システムの運用に関する標準アプリケーションを保有し、そのオプションの開発を受託する管理会社のサーバと、標準アプリケーションについてのオプション開発を委託する複数のユーザの端末機とが、通信ネットワークを介して接続される空調システムのアプリケーション開発方法において、
開発を委託されたオプションについて、受託した管理会社と委託したユーザとの開発費負担の割合を設定するステップと、
開発されたオプションに関する情報をウェブサイトに公開するステップと、
オプションの使用を希望する他のユーザの開発費に対する分担率を入力させて開発費分担額を算出するステップと、
ウェブサイトにアクセスし、表示されたオプションの使用を希望する他のユーザからの使用希望メールを受信するステップと、
オプションの使用を希望するユーザに開発されたオプションへのアクセス権を設定するステップと、
を備えることを特徴とする空調システムのアプリケーション開発方法。
【請求項９】
請求項８に記載の空調システムのアプリケーション開発方法であって、委託したユーザによるオプションの使用実績に関する情報を開発されたオプションに関する情報と共にウェブサイトに公開することを特徴とする空調システムのアプリケーション開発方法。
【請求項１０】
請求項８又は９に記載の空調システムのアプリケーション開発方法であって、オプションを使用した他のユーザによるオプションの使用実績に関する情報を委託したユーザによるオプションの使用実績に関する情報と共にウェブサイトに公開することを特徴とする空調システムのアプリケーション開発方法。
【請求項１１】
請求項８乃至１０のいずれか１に記載の空調システムのアプリケーション開発方法であって、管理会社と委託したユーザとの開発費負担の割合に従って、他のユーザから支払われる開発費分担額について管理会社及び委託したユーザの分担の割合を設定することを特徴とする空調システムのアプリケーション開発方法。
【請求項１２】
請求項８乃至１０のいずれか１に記載の空調システムのアプリケーション開発方法であって、管理会社と委託したユーザとの開発費負担が全てユーザ側である場合には、他のユーザから支払われる開発費分担額が、委託したユーザに支払われることを特徴とする空調システムのアプリケーション開発方法。
【請求項１３】
請求項８乃至１１に記載の空調システムのアプリケーション開発方法であって、委託したユーザが開発するオプションに関するアイデアを提供した場合には、他のユーザから支払われる開発費分担額の一部がアイデア提供料として委託したユーザに支払われることを特徴とする空調システムのアプリケーション開発方法。
【請求項１４】
請求項８に記載の空調システムのアプリケーション開発方法であって、ユーザがオプションに関するアイデアのみ提示しオプションを利用しない場合には、開発費は管理会社に負担させ、他のユーザから支払われる開発費分担額の一部がアイデア提供料としてそのユーザに支払われることを特徴とする空調システムのアプリケーション開発方法。
【発明の詳細な説明】
【技術分野】
【０００１】
本発明は、空調システムのアプリケーション開発システム、及びアプリケーション開発方法に係り、特に、空調システム運用の標準アプリケーションを保有し、そのオプションの開発を受託する管理会社のサーバと、空調システムに関してそのオプションの開発を委託する複数のユーザの端末機とが、通信ネットワークを介して接続される空調システムのアプリケーション開発システム、及びアプリケーション開発方法に関する。
【背景技術】
【０００２】
建物の空調システムの遠隔監視及び制御システムには、例えば、空調機の発停の制御、空調機の運用の確認、保守用データの閲覧などの標準アプリケーションがある。ユーザである建物の所有者は、インターネット網を介して設備管理会社のＡＳＰサーバにアクセスし、これらの標準アプリケーションによるサービスを利用している。そして、省エネルギを達成するためなどの目的で標準アプリケーションについてのオプションの開発を管理会社に委託する場合がある。このオプションとは、ソフトウェアの一部追加又は一部改造により標準アプリケーションに新たな機能を追加させるソフトウェア開発をいう。
【０００３】
一方、特許文献１には、商品受注方式および商品受注システムが開示されている。ここでは、商品を開発提供するメーカが、開発しようとする商品に関する情報を、インターネット等を介して広くユーザ群に公開して購入希望者を募集し、応募のあった応募本数で、その商品の開発費用等を含む見積価格を、割った価格で販売することが記載されている。
【先行技術文献】
【特許文献】
【０００４】
【特許文献１】特開２００３−４４７２４号公報
【発明の概要】
【発明が解決しようとする課題】
【０００５】
建物の空調システムの遠隔監視及び制御システムに用いられる標準アプリケーションを使用するユーザは、省エネルギなどの目的で標準アプリケーションについてソフトウェアの一部追加又は一部改造といったオプションを管理会社に要望する場合がある。しかし、ユーザが要求するオプションは、ユーザごとに異なる場合が多く、ユーザごとに対応するオプションが異なる場合がある。一方、あるユーザに対応して開発されたオプションを他のユーザがそのまま使用できる場合もあり得る。
【０００６】
サービスを提供する管理会社としては、全てのユーザの要望に対して開発費用を全額負担してソフトウェアを開発し、アプリケーションを個別にカスタマイズするということは開発負担が大きすぎて難しい。一方、ユーザ側も管理会社のオプション開発費用を全額負担するのは負担が大きいという問題がある。
【０００７】
本願の目的は、かかる課題を解決し、空調システムの標準アプリケーションについてのオプション開発投資の負担を軽減し、開発したオプションをより多くのユーザに活用させる空調システムのアプリケーション開発システム及びアプリケーション開発方法を提供することである。
【課題を解決するための手段】
【０００８】
上記目的を達成するため、本発明に係る空調システムのアプリケーション開発システムは、空調システムの運用に関する標準アプリケーションを保有し、そのオプション開発を受託する管理会社のサーバと、標準アプリケーションについてのオプション開発を委託する複数のユーザの端末機とが、通信ネットワークを介して接続される空調システムのアプリケーション開発システムにおいて、管理会社のサーバは、ユーザから開発委託されたオプションについて、管理会社と委託したユーザとの開発費負担の割合を設定させる負担割合入力部と、開発されたオプションに関する情報をウェブサイトに表示させる開発オプション表示部と、ウェブサイトにアクセスし、表示されたオプションの使用を希望する他のユーザからの使用希望メールを受信する使用希望メール受信部と、オプションの使用を希望する他のユーザの開発費に対する分担率を入力させ、他のユーザの開発費分担額を設定する分担額設定部と、オプションの使用を希望するユーザに開発されたオプションのソフトウェアへのアクセス権を設定するアクセス権設定部と、を備えることを特徴とする。
【０００９】
上記構成により、空調システムのアプリケーション開発システムは、オプション開発を管理会社に委託するユーザと、オプション開発を受託する管理会社とで開発費を双方で負担する。これによりユーザと管理会社との双方にとって空調システムの標準アプリケーションについてのオプション開発投資の費用負担が軽減される。さらに、開発されたオプションに関する情報をウェブサイトに公開し、公開されたオプションの使用を希望する他のユーザを募ることでオプションの開発費をさらに分担させることができる。また、他のユーザは、希望するオプションの開発費を一部負担するだけで安価に利用することができる。そして、より多くのユーザに標準アプリケーションについてのオプションを利用してもらうことで、アプリケーションを各ユーザにカスタマイズさせることができる。
【００１０】
また、空調システムのアプリケーション開発システムは，開発オプション表示部が、委託したユーザによるオプションの使用実績に関する情報を開発されたオプションに関する情報と共にウェブサイトに公開させることが好ましい。これにより、他のユーザは、オプション開発を委託したユーザにより公開されたオプション使用実績に関する情報によりアプリケーションの効果を知ることができ、より多くのユーザにその利用を促進させることができる。
【００１１】
また、空調システムのアプリケーション開発システムは，開発オプション表示部が、オプションを使用した他のユーザによるオプションの使用実績に関する情報を委託したユーザによるオプションの使用実績に関する情報と共にウェブサイトに公開させることが好ましい。これにより、オプション使用実績に関する情報が充実され、より多くのユーザにその利用を促進させることができる。
【００１２】
また、空調システムのアプリケーション開発システムは，分担額設定部が、負担割合入力部に設定された管理会社と委託したユーザとの開発費負担の割合に従って、他のユーザから支払われる開発費分担額について管理会社及び委託したユーザの分担の割合を設定することが好ましい。これにより、管理会社と委託したユーザとの開発費負担の割合が多い方が、他のユーザから支払われる開発費分担額をより多く受取ることができ、投資額に応じた利益が獲得できる。
【００１３】
また、空調システムのアプリケーション開発システムは，分担額設定部が、負担割合入力部に設定された開発費負担が全て委託したユーザ側である場合には、他のユーザから支払われる開発費分担額が委託したユーザに支払われるように設定することが好ましい。これにより、委託したユーザは、他のユーザの利用により負担した開発費を回収することができる。
【００１４】
また、空調システムのアプリケーション開発システムは，分担額設定部が、委託したユーザが開発するオプションに関するアイデアを提供した場合には、他のユーザから支払われる開発費分担額の一部が、アイデア提供料として委託したユーザに支払われるように設定することが好ましい。これにより、管理会社は、受託したユーザに対して開発アイデアに見合う費用を支払うことができる。
【００１５】
さらに、空調システムのアプリケーション開発システムは，負担割合入力部が、ユーザがオプションに関するアイデアのみ提示しオプションを利用しない場合には、開発費は管理会社に負担させる設定とし、分担額設定部は、他のユーザから支払われる開発費分担額の一部が、アイデア提供料としてそのユーザに支払われるように設定することが好ましい。これにより、管理会社は、ユーザからのアイデア提供を促し、そのユーザに対して開発アイデアに見合う費用を支払うことができる。
【００１６】
上記目的を達成するため、本発明に係る空調システムのアプリケーション開発方法は、空調システムの運用に関する標準アプリケーションを保有し、そのオプションの開発を受託する管理会社のサーバと、標準アプリケーションについてのオプション開発を委託する複数のユーザの端末機とが、通信ネットワークを介して接続される空調システムのアプリケーション開発方法において、開発を委託されたオプションについて、受託した管理会社と委託したユーザとの開発費負担の割合を設定するステップと、開発されたオプションに関する情報をウェブサイトに公開するステップと、オプションの使用を希望する他のユーザの開発費に対する分担率を入力させて開発費分担額を算出するステップと、ウェブサイトにアクセスし、表示されたオプションの使用を希望する他のユーザからの使用希望メールを受信するステップと、オプションの使用を希望するユーザに開発されたオプションへのアクセス権を設定するステップと、を備えることを特徴とする。
【００１７】
上記構成により、空調システムのアプリケーション開発方法は、オプション開発を管理会社に委託するユーザと、オプション開発を受託する管理会社とで開発費を双方で負担する。これによりユーザと管理会社との双方にとって空調システムの標準アプリケーションについてのオプション開発投資の費用負担が軽減される。さらに、開発されたオプションに関する情報をウェブサイトに公開し、公開されたオプションの使用を希望する他のユーザを募ることでオプションの開発費をさらに分担させることができる。また、他のユーザは、希望するオプションの開発費を一部負担するだけで安価に利用することができる。そして、より多くのユーザに標準アプリケーションについてのオプションを利用してもらうことで、アプリケーションを各ユーザにカスタマイズさせることができる。
【００１８】
また、空調システムのアプリケーション開発方法は，委託したユーザによるオプションの使用実績に関する情報を開発されたオプションに関する情報と共にウェブサイトに公開することが好ましい。これにより、他のユーザは、オプション開発を委託したユーザにより公開されたオプション使用実績に関する情報によりアプリケーションの効果を知ることができ、より多くのユーザにその利用を促進させることができる。
【００１９】
また、空調システムのアプリケーション開発方法は，オプションを使用した他のユーザによるオプションの使用実績に関する情報を委託したユーザによるオプションの使用実績に関する情報と共にウェブサイトに公開することが好ましい。これにより、オプション使用実績に関する情報が充実され、より多くのユーザにその利用を促進させることができる。
【００２０】
また、空調システムのアプリケーション開発方法は，管理会社と委託したユーザとの開発費負担の割合に従って、他のユーザから支払われる開発費分担額について管理会社及び委託したユーザの分担の割合を設定することが好ましい。これにより、管理会社と委託したユーザとの開発費負担の割合が多い方が、他のユーザから支払われる開発費分担額をより多く受取ることができ、投資額に応じた利益が獲得できる。
【００２１】
また、空調システムのアプリケーション開発方法は，管理会社と委託したユーザとの開発費負担が全てユーザ側である場合には、他のユーザから支払われる開発費分担額が、委託したユーザに支払われることが好ましい。これにより、委託したユーザは、他のユーザの利用により負担した開発費を回収することができる。
【００２２】
また、空調システムのアプリケーション開発方法は，委託したユーザが開発するオプションに関するアイデアを提供した場合には、他のユーザから支払われる開発費分担額の一部がアイデア提供料として委託したユーザに支払われることが好ましい。これにより、管理会社は、受託したユーザに対して開発アイデアに見合う費用を支払うことができる。
【００２３】
さらに、空調システムのアプリケーション開発方法は，ユーザがオプションに関するアイデアのみ提示しオプションを利用しない場合には、開発費は管理会社に負担させ、他のユーザから支払われる開発費分担額の一部がアイデア提供料としてそのユーザに支払われることが好ましい。これにより、管理会社は、ユーザからのアイデア提供を促し、そのユーザに対して開発アイデアに見合う費用を支払うことができる。
【発明の効果】
【００２４】
以上のように、本発明に係る空調システムのアプリケーション開発システム及びアプリケーション開発方法によれば、空調システムの標準アプリケーションについてのオプション開発投資の負担を軽減し、開発したオプションをより多くのユーザに活用させることが可能となる。
【図面の簡単な説明】
【００２５】
【図１】本発明に係る空調システムのアプリケーション開発システムの１つの実施形態の概略構成を示すブロック図である。
【図２】管理会社及びユーザによるオプションの開発費負担及び分担の第１の実施例を示す説明図である。
【図３】管理会社及びユーザによるオプションの開発費負担及び分担の第２の実施例を示す説明図である。
【図４】管理会社及びユーザによるオプションの開発費負担及び分担の第３の実施例を示す説明図である。
【図５】管理会社及びユーザによるオプションの開発費負担及び分担の第４の実施例を示す説明図である。
【図６】空調システムのアプリケーション開発方法を示すフローチャートである。
【発明を実施するための形態】
【００２６】
以下に、図面を用いて本発明に係る空調システムのアプリケーション開発システム及びアプリケーション開発方法の実施形態につき、詳細に説明する。
【００２７】
（空調システムのアプリケーション開発システム）
図1に空調システムのアプリケーション開発システムの１つの実施形態の概略構成を示す。空調システムのアプリケーション開発システム１は、管理会社２の管理会社サーバ４と、ユーザ３ａ，３ｂ，３ｃのそれぞれの端末機５ａ，５ｂ，５ｃとが通信ネットワーク２０を介して接続されて構成される。管理会社サーバ４は、空調システムの運用に関する標準アプリケーション１１を保有しており、ユーザ３ａ，３ｂ，３ｃは、管理会社２のウェブサイト１３にアクセスして標準アプリケーション１１を使用する。そして、ユーザ３ａは、標準アプリケーション１１についてのオプションの開発を管理会社２に委託する。管理会社２は、ユーザ３ａ，３ｂ，３ｃから委託されたオプション１２ａ〜１２ｄの開発を行う。なお、図１では、ユーザ３ａ，３ｂ，３ｃ及びユーザ端末機５ａ，ｂ，ｃは、説明用に３つとするが、この数に限らない。
【００２８】
管理会社サーバ４は、負担割合入力部６、分担額設定部７、使用希望メール受信部８、アクセス権設定部９、及び開発オプション表示部１０から構成される。また、管理会社サーバ４は、ウェブサイト１３に標準アプリケーション１１を有し、さらにオプション１２ａ及〜１２ｄを開発する。
【００２９】
負担割合入力部６は、ユーザ３ａから開発委託されたオプション１２ａについて、管理会社２と委託したユーザ３ａとの開発費負担の割合を設定させる。例えば、管理会社２と委託したユーザ３ａとが１：１（半額ずつ負担する）、１：２（管理会社２よりユーザ３ａが多く負担する）、２：１（ユーザ３ａより管理会社２が多く負担する）などである。そして、負担割合入力部６に設定された開発費負担の割合に従って開発費が双方で負担される。
【００３０】
開発オプション表示部１０は、開発されたオプション１２ａに関する情報をウェブサイト１３に公開する。また、開発オプション表示部１０は、委託したユーザ３ａによるオプション１２ａの使用実績に関する情報を、開発されたオプション１２ａに関する情報と共にウェブサイト１３に公開させる。さらに、開発オプション表示部１０は、オプション１２ａを使用した他のユーザ３ｂ，３ｃによるオプション１２ａの使用実績に関する情報を委託したユーザ３ａによるオプション１２ａの使用実績に関する情報と共にウェブサイト１３に公開させる。このように、開発されたオプション１２ａに関する情報だけではなく、オプション１２ａの使用実績に関する情報をウェブサイト１３に公開させることで、他のユーザ３ｂ，３ｃが閲覧し、開発されたオプション１２ａの効果などの情報が得られ、そのオプション１２ａの利用を促進させることができる。
【００３１】
使用希望メール受信部８は、ウェブサイト１３にアクセスし、表示されたオプション１２ａの使用を希望する他のユーザ３ｂ，３ｃからの使用希望メールを受信する。他のユーザ３ｂ，３ｃは、開発されたオプション１２ａに関する情報、又は開発されたオプション１２ａの効果などの情報からオプション１２ａの使用を希望する場合には、使用希望メール受信部８へ使用を希望する電子メールを発信する。そして、アクセス権設定部９は、オプション１２ａの使用を希望するユーザ３ｂ，３ｃに開発されたオプション１２ａへのアクセス権を設定する。ユーザ３ｂ，３ｃは、このアクセス権によりオプション１２ａを使用することができる。
【００３２】
分担額設定部７は、オプション１２ａの使用を希望する他のユーザ３ｂ，３ｃの開発費に対する分担率を入力させ、他のユーザ３ｂ，３ｃの開発費分担額を設定する。すなわち、分担額設定部７は、開発費に対する分担率、例えばユーザ当たり開発費の１／１０，或いは開発費の１／２０などの分担率を入力させる。そして、負担割合入力部６に入力された管理会社２と委託したユーザ３ａとの開発費負担の割合に従って、他のユーザ３ｂ，３ｃから支払われる開発費分担額を算出する。例えば、管理会社２と委託したユーザ３ａとが１：１の割合で開発費を負担する場合には、他のユーザ３ｂ，３ｃから支払われる開発費分担額は、１：１で分配される。管理会社２と委託したユーザ３ａとが１：２の割合で開発費を負担する場合には、他のユーザ３ｂ，３ｃから支払われる開発費分担額は、１：２で分配される。従って、分担率がユーザ当たり開発費の１／１０であり開発費負担の割合が１：１であれば、他のユーザ３ｂ，３ｃは、開発費の１／２０を管理会社２と委託したユーザ３ａとに対してそれぞれ分担する。
【００３３】
図２に、管理会社２及びユーザ３ａによるオプション１２ａの開発費Ａの負担及び分担の第１実施例を示す。管理会社２が開発してユーザ３ａが使用するオプション１２ａの開発費Ａは、管理会社２及びユーザ３ａがそれぞれＡ／２ずつ負担することとして負担割合入力部６に設定される。その後、ユーザ３ｂ，３ｃがオプション１２ａの使用を希望する場合は、管理会社２とユーザ３ａとの開発費負担の割合が１：１なので、分担額設定部７により管理会社２及びユーザ３ａへの負担額の割合は１：１となる。このとき、ユーザ３ｂ，３ｃの開発費Ａに対する分担率は、開発費Ａの回収を考慮して管理会社２とユーザ３ａとにより決定される。例えば、オプション１２ａの使用を希望するユーザ数が、ユーザ３ｂ，３ｃを含め１０社程度見込める場合には、分担率は各ユーザあたりＡ／１０としても良い。この場合には、ユーザ３ｂ，３ｃは、管理会社２及びユーザ３ａに対してそれぞれＡ／２０ずつ分担する。管理会社２とユーザ３ａとは、オプション１２ａの使用を希望するユーザ数が１０社を越える場合には、開発費Ａを回収したうえで利益が発生する。一方、管理会社２とユーザ３ａとは、オプション１２ａの使用を希望するユーザ数が１０社に満たない場合には、開発費Ａを回収することができない。
【００３４】
図３に、管理会社２及びユーザ３ｂによるオプション１２ｂの開発費Ｂの負担及び分担の第２実施例を示す。管理会社２が開発してユーザ３ｂが使用するオプション１２ｂの開発費Ｂは、ユーザ３ｂが全額負担することとして負担割合入力部６に設定される。その後、ユーザ３ａ，３ｃがオプション１２ｂの使用を希望する場合は、ユーザ３ｂが開発費Ｂを全額負担したので、ユーザ３ａ，３ｃの開発費分担額は分担額設定部７によりユーザ３ｂに設定される。このとき、ユーザ３ａ，３ｃの開発費Ｂに対する分担率は、開発費Ｂの回収を考慮してユーザ３ｂにより決定される。例えば、オプション１２ｂの使用を希望するユーザ数が、ユーザ３ａ，３ｃを含め２０社程度見込める場合には、分担率は各ユーザあたりＡ／２０としても良い。この場合には、ユーザ３ａ，３ｃは、ユーザ３ｂに対してそれぞれＡ／２０ずつ分担する。
【００３５】
図４に、管理会社２及びユーザ３ｃによるオプション１２ｃの開発費Ｃの負担及び分担の第３実施例を示す。管理会社２が開発してユーザ３ｃが使用するオプション１２ｃの開発費Ｃは、管理会社２及びユーザ３ｃがそれぞれＡ／２ずつ負担することとして負担割合入力部６に設定される。その後、ユーザ３ａ，３ｂがオプション１２ｃの使用を希望する場合は、管理会社２とユーザ３ｃとの開発費負担の割合が１：１なので、分担額設定部７により管理会社２及びユーザ３ｃへの負担額の割合は１：１となる。このとき、ユーザ３ａ，３ｂの開発費Ｃに対する分担率は、開発費Ｃの回収を考慮して管理会社２とユーザ３ｃとにより決定される。例えば、オプション１２ｃの使用を希望するユーザ数が、ユーザ３ａ，３ｂを含め１０社程度見込める場合には、分担率は各ユーザあたりＡ／１０としても良い。この場合には、ユーザ３ａ，３ｂは、管理会社２及びユーザ３ｃに対してそれぞれＣ／２０ずつ分担する。分担額設定部７は、委託したユーザ３ｃが開発するオプション１２ｃに関するアイデアを提供した場合には、他のユーザ３ａ，３ｂから支払われる開発費分担額の一部をアイデア提供料として委託したユーザ３ｃに支払われるように設定する。すなわち、管理会社２には、アイデア提供料が差し引かれた額が支払われ、ユーザ３ｃには、アイデア提供料が付加された額が支払われる。そのアイデア提供料は、アイデアの内容により管理会社２が決定するが、例えば、Ｃ／８０の額などのように決められる。
【００３６】
図５に、管理会社２及びユーザ３ｃによるオプション１２ｄの開発費Ｄの負担及び分担の第４実施例を示す。管理会社２が開発したオプション１２ｄの開発費Ｄは、管理会社２が全額負担することとして負担割合入力部６に設定される。その後、ユーザ３ａ，３ｂがオプション１２ｄの使用を希望する場合は、管理会社２が開発費Ｄを全額負担したので、ユーザａ，３ｂの開発費分担額は分担額設定部７により管理会社２に設定される。このとき、ユーザ３ａ，３ｂの開発費Ｄに対する分担率は、開発費Ｄの回収を考慮して管理会社２により決定される。例えば、オプション１２ｄの使用を希望するユーザ数が、ユーザ３ａ，３ｂを含め１０社程度見込める場合には、分担率は各ユーザあたりＤ／２０としても良い。この場合には、ユーザ３ａ，３ｂは、管理会社２に対してそれぞれＤ／２０ずつ分担する。管理会社２が開発したオプション１２ｄのアイデアはユーザ３ｃが提案したものである。分担額設定部７は、他のユーザ３ａ，３ｂから支払われる開発費分担額の一部が、アイデア提供料としてユーザ３ｃに支払われるように設定する。そのアイデア提供料は、アイデアの内容により管理会社２が決定するが、例えば、Ｃ／８０の額などのように決められる。
【００３７】
（空調システムのアプリケーション開発方法）
図６に、空調システムのアプリケーション開発方法を示す。まず、開発を委託されたオプション１２ａについて、受託した管理会社２と委託したユーザ３ａとの開発費の負担の割合を設定する（Ｓ１）。次に、開発されたオプション１２ａに関する情報をウェブサイトに公開する（Ｓ２）。このとき、委託したユーザ３ａによるオプション１２ａの使用実績に関する情報を開発されたオプション１２ａに関する情報とともにウェブサイトに公開しても良い。また、オプション１２ａを使用した他のユーザ３ｂ，３ｃによるオプション１２ａの使用実績に関する情報を委託したユーザ３ａによるオプション１２ａの使用実績に関する情報とともにウェブサイトに公開しても良い。
【００３８】
そして、ウェブサイトにアクセスし、表示されたオプション１２ａの使用を希望する他のユーザ３ｂ，３ｃの開発費に対する分担率を入力させて開発費分担額を算出する（Ｓ４）。このとき、管理会社２と委託したユーザ３ａとの開発費負担の割合に従って、他のユーザ３ｂ，３ｃから支払われる開発費分担額について管理会社２及び委託したユーザ３ａの分配率を設定しても良い。また、さらに、オプション１２ａの使用を希望するユーザ３ｂ，３ｃに開発されたオプション１２ａへのアクセス権を設定する（Ｓ５）。
【００３９】
ここで、図３に示すように、管理会社２と委託したユーザ３ｂとの開発費負担が全てユーザ３ｂ側である場合には、他のユーザ３ａ，３ｃから支払われる開発費分担額が、委託したユーザ３ｂに支払われる。また、図４に示すように、委託したユーザ３ｃが開発するオプション１２ｃに関するアイデアを提供した場合には、他のユーザ３ａ，３ｂから支払われる開発費分担額の一部がアイデア提供料として、委託したユーザ３ｃに支払われる。さらに、図５に示すように、ユーザ３ｃがオプション１２ｄに関するアイデアのみ提示しオプション１２ｄを利用しない場合には、開発費は全て管理会社２に負担させ、他のユーザ３ａ，３ｂから支払われる開発費分担額の一部がアイデア提供料として、ユーザ３ｃに支払われる。
【符号の説明】
【００４０】
１  空調システムのアプリケーション開発システム、２  管理会社、３ａ，３ｂ，３ｃ  ユーザ、４  管理会社サ−バ、５ａ，５ｂ，５ｃ  ユーザ端末機、６  負担割合入力部、７  分担額設定部、８  使用希望メール受信部、９  アクセス権設定部、１０  開発オプション表示部、１１  標準アプリケーション、１２ａ，１２ｂ，１２ｃ，１２ｄ  オプション、１３  ウェブサイト、２０  通信ネットワーク、Ａ，Ｂ，Ｃ，Ｄ  開発費。
【図１】
2010286949.tif 000003
【図２】
2010286949.tif 000004
【図３】
2010286949.tif 000005
【図４】
2010286949.tif 000006
【図５】
2010286949.tif 000007
【図６】
2010286949.tif 000008